(57)【要約】【課題】  記憶媒体を挿入した時点では、自動再生情報（ＤＰＯＦファイル等）に記述されているかを知る方法が無く、デジタルカメラなどの画像入力装置で設定した内容を覚えておかなくてはならない。【解決手段】  複数の画像データと、複数の画像データのうち再生すべき画像とその画像の再生形態とを指定する再生情報とが記録されている記録媒体を装着可能であって、記録媒体を装着している状態において、記録媒体中に再生情報が記録されているかを検出する検出手段と、検出手段により、再生情報が記録されていることを検出した場合に、再生情報に基づく再生動作を実行させるための指示と、再生情報による画像の再生を行うことなく再生情報を参照する為の指示とを選択させる選択手段とを有することを特徴とする。【選択図】  図１
2005079637.tif 000002
【特許請求の範囲】
【請求項１】
複数の画像データと、前記複数の画像データのうち再生すべき画像とその画像の再生形態とを指定する再生情報とが記録されている記録媒体を装着可能な画像処理装置であって、
前記記録媒体を装着している状態において、前記記録媒体中に再生情報が記録されているかを検出する検出手段と、
前記検出手段により、前記再生情報が記録されていることを検出した場合に、前記再生情報に基づく再生動作を実行させるための指示と、前記再生情報による画像の再生を行うことなく前記再生情報を参照する為の指示とを選択させる選択手段とを有することを特徴とする画像処理装置。
【請求項２】
さらに、前記再生情報に基づく再生動作を実行させるための指示と、前記再生情報を参照する為の指示とを選択する為のメニューを表示する表示手段を有することを特徴とする請求項１に記載の画像処理装置。
【請求項３】
複数の画像データと、前記複数の画像データのうち再生すべき画像とその画像の再生形態とを指定する再生情報とが記録されている記録媒体を装着可能な画像処理装置であって、
前記記録媒体を装着している状態において、前記記録媒体中に再生情報が記録されているかを検出する検出手段と、
前記検出手段により、前記再生情報が記録されていることを検出した場合に、前記再生情報に基づく再生動作を実行させる指示と、前記再生情報による画像の再生を実行させない指示とを選択させる選択手段とを有することを特徴とする画像処理装置。
【請求項４】
さらに、前記再生情報に基づく再生動作を実行させる指示と、前記再生情報による画像の再生を実行させない指示とを選択する為のメニューを表示する表示手段を有することを特徴とする請求項３に記載の画像処理装置。
【請求項５】
複数の画像データと、前記複数の画像データのうち再生すべき画像とその画像の再生形態とを指定する再生情報とが記録されている記録媒体を装着可能な画像処理装置の制御方法であって、
前記記録媒体を装着している状態において、前記記録媒体中に再生情報が記録されているかを検出する検出工程と、
前記検出工程で、前記再生情報が記録されていることを検出した場合に、前記再生情報に基づく再生動作を実行させるための指示と、前記再生情報による画像の再生を行うことなく前記再生情報を参照する為の指示とを選択させる選択工程とを有することを特徴とする制御方法。
【請求項６】
複数の画像データと、前記複数の画像データのうち再生すべき画像とその画像の再生形態とを指定する再生情報とが記録されている記録媒体を装着可能な画像処理装置の制御方法であって、
前記記録媒体を装着している状態において、前記記録媒体中に再生情報が記録されているかを検出する検出工程と、
前記検出工程で、前記再生情報が記録されていることを検出した場合に、前記再生情報に基づく再生動作を実行させる指示と、前記再生情報による画像の再生を実行させない指示とを選択させる選択工程とを有することを特徴とする制御方法。
【請求項７】
画像処理装置のコンピュータが読み込み実行することによって、請求項５または６に記載の制御方法を画像処理装置により実行させるためのプログラムを格納する記憶媒体。
【請求項８】
画像処理装置のコンピュータが読み込み実行することによって、請求項５または６に記載の制御方法を画像処理装置により実行させるためのプログラム。
【発明の詳細な説明】
【技術分野】
【０００１】
本発明は、予め再生情報の記録された記憶媒体を扱う画像処理装置及びその制御方法に関するものである。
【背景技術】
【０００２】
近年、撮影結果としての画像をデジタル画像データに変換して、このデジタル画像データをフラッシュメモリ等の記録媒体に格納するデジタルカメラが普及してきている。
【０００３】
一般に、デジタルカメラで撮影された画像をプリンタで記録するための画像記録システムには、パーソナルコンピュータが用いられ、パーソナルコンピュータはデジタル画像データが格納された記録媒体から画像データを取り込み、該画像データをプリンタが記録処理可能なプリントデータに変換してプリンタへ出力する。
【０００４】
この画像記録システムについて図５を参照しながら具体的に説明する。図５は従来の画像記録システムの構成例を示す図である。
画像記録システムは、図３に示すように、デジタルカメラ５０１と、パーソナルコンピュータ５０２と、プリンタ５０３とから構成され、デジタルカメラ５０１とパーソナルコンピュータ５０２とは例えばＲＳ２３２Ｃなどの通信ケーブル３０４を介して通信可能に接続され、パーソナルコンピュータ５０２とプリンタ５０３とは例えばセントロニクスあるいはＵＳＢなどの通信ケーブル３０５を介して通信可能に接続されている。
【０００５】
デジタルカメラ５０１で撮影した画像はデジタル画像データとしてデジタルカメラ５０１に装着されているフラッシュメモリに一時的に格納される。この撮影した画像を記録するときには、まず、デジタルカメラ５０１とパーソナルコンピュータ５０２とが通信ケーブル５０４で接続され、パーソナルコンピュータ５０２上において通信ソフトウェアが起動される。次いで、この通信ソフトウェアによりデジタルカメラ５０１内の通信ソフトウェアとの間で通信が行われ、デジタルカメラ５０１のフラッシュメモリに格納されているデジタル画像データが通信ケーブル５０４を介してパーソナルコンピュータ５０２に伝送される。この伝送されたデジタル画像データはパーソナルコンピュータ５０２のハードディスクなどに一時的に格納される。
【０００６】
デジタルカメラ５０１からのデジタル画像データがパーソナルコンピュータ５０２に取り込まれると、パーソナルコンピュータ５０２上においてプリンタ５０３用のプリンタドライバが起動され、このプリンタドライバによりデジタルカメラ５０１から取り込まれたデジタル画像データはプリンタ５０３が記録処理可能なプリントデータに変換された後に通信ケーブル５０５を介してプリンタ５０３に出力される。プリンタ５０３は、通信ケーブル５０５を介してプリントデータを取り込み、このプリントデータに基づき該プリントデータが示す画像を記録用紙に記録して出力する。
【０００７】
しかし、上述の従来の画像記録システムでは、デジタルカメラ５０１のデジタル画像データをパーソナルコンピュータ５０２に取り込むための通信ケーブル５０４の接続、通信ソフトウェアの起動、取り込んだデジタル画像データをプリントデータに変換して出力するためのプリンタドライバの起動などのパーソナルコンピュータ５０２上における操作、作業が必要であるから、デジタルカメラで撮影された画像を得るための操作に煩雑な手間が掛り、面倒であった。
【０００８】
また、上記のような画像記録システムは規模が大きいとともにコストも高いので、このようなシステムを所有していないユーザには、デジタルカメラを使用し難いものにする要因になっている。
【０００９】
さらに、パーソナルコンピュータは普及が著しいとはいえ、実際に使いこなすにはまだ解決すべき問題が多く、持っていても使いこなせないユーザが大多数であるとの指摘もあり、これらのユーザがデジタルカメラによる撮影結果としての画像を記録するための記録処理用アプリケーションプログラムやプリンタドライバを購入してインストールしようとしてもインストール自体が困難であったり、コマンド入力の方法がわからないという不都合が生じかねないという問題点もある。
【００１０】
このような背景から、デジタルカメラが今後普及し一般家庭で通常用いられるようになるためには、低コストであり、前記フラッシュメモリ等が装着可能であって、撮影結果としての画像を記録処理する際の操作が簡単であり、電源スイッチオンで処理動作が起動される画像データ処理装置とプリンタとが一体化した画像記録装置としてのカードダイレクト印刷装置が考案されている。
【００１１】
一方、デジタルカメラなどの画像入力装置では、撮影した画像を自動再生・自動印刷する手続きを記述する物も知られている。（特許文献１参照）
このような標準規格として、Ｄｉｇｉｔａｌ  Ｐｒｉｎｔ  Ｏｒｄｅｒ  ＦｉｌｅＦｏｒｍａｔ（ＤＰＯＦ）と呼ばれる規格に対応している。自動再生・自動印刷の指定は画像の撮影をした後、入力装置側でこの規格に基づき、自動印刷する画像を指定する情報と、その画像に対応した印刷属性（枚数、レイアウト等）を記述したファイル（以下、ＤＰＯＦファイルと呼ぶ。）を作成し、画像が記録された媒体（コンパクトフラッシュ（登録商標）カード、スマートメデイア等）上に記録する。印刷時にＤＰＯＦ対応した出力装置がこのＤＰＯＦファイルを読み込む事で、指定した通りに画像が自動印刷される仕組みである。
【特許文献１】特開平１０−２２６１１７号公報
【発明の開示】
【発明が解決しようとする課題】
【００１２】
しかしながら上記従来例では、プリンタ等の画像処理装置にメモリカード等の記憶媒体を挿入した時点では、どのような自動再生・自動印刷の指定が自動再生情報（ＤＰＯＦファイル等）に記述されているかを知る方法が無く、デジタルカメラなどの画像入力装置で設定した内容を覚えておかなくてはならない。
【００１３】
また、自動再生情報（ＤＰＯＦファイル等）を読み込んだ時に自動的にＤＰＯＦファイルに基づく印刷モードに切り替わってしまうと、ＤＰＯＦファイルの自動印刷以外の印刷モードを選択したいときには改めてモードを切り替えなければならない。
【００１４】
本発明は上記の課題のうちの全て、または少なくとも一つを書き決することを目的とする。
【課題を解決するための手段】
【００１５】
そこで、本発明の画像記録装置は、複数の画像データと、複数の画像データのうち再生すべき画像とその画像の再生形態とを指定する再生情報とが記録されている記録媒体を装着可能であって、記録媒体を装着している状態において、記録媒体中に再生情報が記録されているかを検出する検出手段と、検出手段により、再生情報が記録されていることを検出した場合に、再生情報に基づく再生動作を実行させるための指示と、再生情報による画像の再生を行うことなく再生情報を参照する為の指示とを選択させる選択手段とを有することを特徴とする。
【００１６】
また、複数の画像データと、複数の画像データのうち再生すべき画像とその画像の再生形態とを指定する再生情報とが記録されている記録媒体を装着可能な画像処理装置であって、記録媒体を装着している状態において、記録媒体中に再生情報が記録されているかを検出する検出手段と、検出手段により、再生情報が記録されていることを検出した場合に、再生情報に基づく再生動作を実行させる指示と、再生情報による画像の再生を実行させない指示とを選択させる選択手段とを有することを特徴とする。
【発明の効果】
【００１７】
本発明によれば、画像処理装置にメモリカード等の記憶媒体を挿入した時点では、どのような自動再生・自動印刷の指定が自動再生情報（ＤＰＯＦファイル等）に記述されているかを覚えておかなくてもよい。
【００１８】
また、自動再生情報（ＤＰＯＦファイル等）を読み込んだ時に自動的にＤＰＯＦファイルに基づく自動再生・自動印刷モードに切り替わってしまうことなく、ＤＰＯＦファイルに基づく自動再生・自動印刷以外の印刷モードを選択したいときには改めてモードを切り替えなければならない。
【発明を実施するための最良の形態】
【００１９】
図４は本発明の画像データ処理装置を備えた画像記録装置を示す概略斜視図である。
【００２０】
６０１は本発明に適用可能なインクジェットプリンタの一例である。なお、本実施形態例ではプリンタとしてインクジェットプリンタを用いているが、これには限らず、熱転写プリンタ（溶解型、昇華型）、ドットプリンタ、レーザープリンタ、ＬＥＤプリンタなど、あらゆるプリンタが適用可能である。
【００２１】
６０７はユーザの操作を受け付けるユーザＩ／Ｆ部分であり、ユーザはこのＩ／Ｆに設けられたキーを押下することによって印刷しようとするデジタル画像データの選択や印字モードの指定、トリミング領域のサイズ、位置の変更等の指定を行う。
【００２２】
また６０８は表示デバイスであり、ここでは液晶ＬＣＤが予め組み込まれている。この液晶ＬＣＤには図１で示すように後述するＰＣＭＣＩＡカード内に記録されているデジタル画像データを読み出した後、その画像を表示する構成となっている。
【００２３】
次に６０２はコンパクトフラッシュ（登録商標）カードであり、６０３はＰＣＭＣＩＡカードアダプタと呼ばれ、コンパクトフラッシュ（登録商標）６０２をＰＣＭＣＩＡ規格のカード接続部に拡張するためのアダプタである。６０４は上述したようにデジタル画像データが格納されているＰＣＭＣＩＡカードの記録媒体を接続する記録媒体接続部である。記録媒体接続部６０４は、記録媒体に格納されているデジタル画像データを読み出すためのものであり、記録媒体接続部６０４に記録媒体を差し込むことで記録媒体は画像データ処理装置６０１に接続され、画像データ処理装置６０１はその接続された記録媒体からデジタル画像データを読み出すことが出来る。
【００２４】
ここで、本発明の特徴的部分である、ＰＣＭＣＩＡカード挿入時の動作と印刷情報ファイルの内容の表示について図１〜４をもとに説明する。
【００２５】
図１はＰＣＭＣＩＡカード挿入時のフローチャートである。本実施例ではＰＣＭＣＩＡカードが挿入されたことを認識すると（Ｓｔｅｐ１）、ＤＰＯＦファイルが存在するかどうかをチェックする。ＤＰＯＦ規格ではＤＰＯＦファイルは特定のファイル名ａｕｔｐｒｉｎｔ．ｍｒｋで記録されることが決められているため、このファイルの存在を検索し、存在すればその内容がＤＰＯＦ規格に基づく内容かをチェックする（Ｓｔｅｐ２）。もしＤＰＯＦファイルが存在しなかったり、前記ａｕｔｐｒｉｎｔ．ｍｒｋの内容がＤＰＯＦ規格に準ずるものでなかった場合には図４−（ａ）に示すデフォルトの印刷モード画面を表示する（Ｓｔｅｐ５）。
【００２６】
先のＳｔｅｐ２において有効なＤＰＯＦファイルの存在を検出した場合には図２に示す問い合わせ画面を表示し（Ｓｔｅｐ３）、ユーザの入力待ちとなる。ここでユーザがＤＰＯＦ印刷を選択すれば図４−（ｂ）に示すＤＰＯＦ印刷を開始する前の画面を表示（Ｓｔｅｐ６）するものである。
【００２７】
なお、Ｓｔｅｐ４においてユーザがＤＰＯＦモードの印刷を選択しなかった場合にはＤＰＯＦファイルが検出できなかったときと同様に図４−（ａ）に示すデフォルトの印刷モード画面を表示する（Ｓｔｅｐ５）ようになっている。
【００２８】
また、実施例２では実施例１に加えて有効なＤＰＯＦファイルが検出されたときにＳｔｅｐ３において表示する内容には図２に示すような「ＤＰＯＦファイルの内容を見る」が選択可能に構成されている。この画面でユーザが「ＤＰＯＦファイルの内容を見る」項目を選択するとそのＤＰＯＦファイルの内容を解析し、その印刷種類、印刷枚数等の情報を示すものである（図３）。
【００２９】
ここで３０１は表示する内容を模式的に示したものであって、実際に表示される内容はこの一部である。ウインドウ３０２が実際に表示するためのウインドウであり、表示内容３０１のうちウインドウ３０２で囲われた部分が表示デバイス６０８に表示されることになる。ユーザはユーザＩ／Ｆ６０７を操作することによって表示内容３０１の任意の部分を表示すること出来る構成となっている。
【００３０】
なお、上記の実施例の説明ではＤＰＯＦファイルに基づくプリント制御に関して説明したが、自動再生情報の形式はＤＰＯＦファイルに限るものではなく、本発明の趣旨を有する全てのデータ形態に置き換えることができる。
【００３１】
また、再生制御情報によりプリントのみの制御を実行する場合に限るものではなく、スライドショー等の表示制御や、ｅ−ｍａｉｌやｆａｘなどにより画像転送処理時であっても、本発明の利用できる。
【００３２】
［他の実施の形態］
本発明の目的は前述したように、実施例の機能を実現するソフトウェアのプログラムコードを記録した記憶媒体をシステム或は装置に提供し、そのシステム或は装置のコンピュータ（又はＣＰＵやＭＰＵ）が記憶媒体に格納されたプログラムコードを読み出し実行することによっても達成される。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスク、ＣＤ−ＲＯＭ，ＣＤ−Ｒ、磁気テープ、不揮発性のメモリカード、ＲＯＭなどを用いることができる。
【００３３】
また、コンピュータが読み出したプログラムコードを実行することにより、前述した実施の形態の機能が実現されるだけでなく、そのプログラムコードの指示に基づき、コンピュータ上で稼動しているＯＳ（オペレーティングシステム）などが実際の処理の一部又は全部を行い、その処理によって前述した実施例の機能が実現される場合も含まれる。
【００３４】
更に、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部又は全部を行い、その処理によって前述した実施例の機能が実現される場合も含む。
【図面の簡単な説明】
【００３５】
【図１】実施例におけるフローチャートである。
【図２】実施例における表示装置に表示する画面である。
【図３】実施例における表示装置に表示するウインドウと表示内容を示す模式図である。
【図４】実施例における表示装置に表示する画面である。
【図５】従来のデジタルカメラとパーソナルコンピュータ、パーソナルコンピュータとプリンタを接続したときの模式図である。
【図６】本発明に基づく画像処理装置の概略斜視図である。
【符号の説明】
【００３６】
３０１  表示される内容
３０２  表示ウインドウ
５０１  デジタルカメラ
５０２  パーソナルコンピュータ
５０３  プリンタ
５０４  通信ケーブル
５０５  通信ケーブル
６０１  プリンタ
６０２  コンパクトフラッシュ（登録商標）カード
６０３  ＰＣＭＣＩＡアダプタ
６０４  ＰＣＭＣＩＡ接続部（ＰＣＭＣＩＡスロット）
６０５  ＣＤ−Ｒドライブ
６０６  外部デバイス接続部
６０７  ユーザＩ／Ｆ
６０８  液晶ＬＣＤ（表示装置）
【図１】
2005079637.tif 000003
【図２】
2005079637.tif 000004
【図３】
2005079637.tif 000005
【図４】
2005079637.tif 000006
【図５】
2005079637.tif 000007
【図６】
2005079637.tif 000008